(57)【要約】  【課題】  ハウジング内部の空冷用の吸気口を覆う集塵フィルタの目詰まりの発生を正しく判定することができ、これに起因する種々の不具合の発生を未然に防止して、常に良好な条件下での運転が可能な電気機器を提供する。  【解決手段】  フィルタハウジング３に収容された集塵フィルタ４の上流側に第１の温度センサ2aを配し、また下流側に第２の温度センサ2bを配して、第１の温度センサ2aの検出温度と、第２の温度センサ2bの検出温度との差に基づいて集塵フィルタ４の目詰まりの有無を判定し、この判定を、例えば、警報の発生によるユーザへの報知、空冷用のファンの増速運転による空冷不足の補完等に利用する。【選択図】      図３
2006208720.tif 000002
【特許請求の範囲】
【請求項１】
発熱を伴う部品を収容するハウジングに開設された吸気口及び排気口と、該排気口の近傍に配された空冷ファンと、前記吸気口を覆う集塵フィルタとを備え、前記空冷ファンの回転により前記集塵フィルタ及び吸気口を経て前記ハウジングの内部に吸気され、前記排気口を経て排気される気流の作用により、前記部品及び該部品の周辺を空冷する構成としてある電気機器において、
前記気流の温度を前記フィルタの上、下流側にて各別に検出する温度センサと、
これらの温度センサの検出温度の差に基づいて前記集塵フィルタの目詰まりを判定する判定手段と
を備えることを特徴とする電気機器。
【請求項２】
前記吸気口と前記排気口とは、前記ハウジングの相対向する面に開設してある請求項１記載の電気機器。
【請求項３】
前記判定手段による目詰まりの判定に応じて所定の警報を発する警報手段を備える請求項１又は請求項２記載の電気機器。
【請求項４】
前記判定手段による目詰まりの判定に応じて前記空冷ファンの回転速度を増速制御する制御手段を備える請求項１乃至請求項３のいずれか１つに記載の電気機器。
【請求項５】
前記吸気口の外側を覆うように前記ハウジングに取り付けてあり、前記集塵フィルタを着脱自在に収容するフィルタハウジングを備える請求項１乃至請求項４のいずれか１つに記載の電気機器。
【請求項６】
前記フィルタハウジングは、前記ハウジングに着脱自在に取り付けてある請求項５記載の電気機器。
【請求項７】
前記集塵フィルタから捕集塵埃を叩き落すべく、該集塵フィルタに振動を付加する振動付加手段を備える請求項１乃至請求項６のいずれか１つに記載の電気機器。
【請求項８】
前記ハウジングの内部に発生する負圧の作用により開放され、前記集塵フィルタの下流側に外気を導入する安全弁を備える請求項１乃至請求項７のいずれか１つに記載の電気機器。
【請求項９】
前記判定手段による目詰まりの判定に応じて開放され、前記集塵フィルタの下流側に外気を導入する安全弁を備える請求項１乃至請求項７のいずれか１つに記載の電気機器。
【発明の詳細な説明】
【技術分野】
【０００１】
本発明は、液晶パネルへの投光ランプを備える液晶プロジェクタ等、ハウジングの内部に発熱を伴う部品を備える電気機器に関し、更に詳しくは、発熱を伴う部品及び該部品の周辺を、これらを収容するハウジングの内部を流れる気流の作用により空冷する空冷構造を備える電気機器に関する。
【背景技術】
【０００２】
液晶パネルに表示された画像を、該液晶パネルから距離を隔てて配置されたスクリーン上に拡大表示する液晶プロジェクタは、画像を表示する液晶パネルを、投光ランプ及び投写レンズと共に、相互間の位置関係を適正に保って共通のハウジング内に収容してなり、前記投光ランプの発光を液晶パネルに照射し、該液晶パネルの透過光を前記投写レンズにより縦横に拡大して外部に投写して、この投写域に配されたスクリーン上に画像を映し出す構成となっている。
【０００３】
このような液晶プロジェクタにおいては、スクリーン上に映写される画像の拡大率及び輝度を高めるために発光強度の高い投光ランプが使用されており、この投光ランプが多くの発熱を伴い、この発熱が、液晶パネル等の他の部品に影響を及ぼすという問題があり、この問題を解消することを目的として、ハウジングの内部を空冷するための空冷構造を備える液晶プロジェクタがある（例えば、特許文献１、２参照）。
【０００４】
これらの液晶プロジェクタは、ハウジングに開設された吸気口及び排気口と、該排気口の近傍に配された空冷ファンとを備えており、該空冷ファンの回転により、前記吸気口を経て前記ハウジングの内部に外気を吸気し、前記排気口を経て排気させて、前記投光ランプ及びこれの周辺を吸気口から排気口に向かう通気との熱交換により冷却する構成となっている。
【０００５】
また前記吸気口には、これを覆うように集塵フィルタを取付け、該集塵フィルタにより吸気中に含まれる塵埃を捕捉して、ハウジングの内部への侵入を防止するように構成されている。このような集塵フィルタの設置は、ハウジング内部に侵入する塵埃の影響による各部の動作不良の発生を未然に防止し、同じく、投写映像の品質低下を防止するために必要なものである。
【特許文献１】特開２００３−１６２００５号公報
【特許文献２】特開２００４−１５７３４７号公報
【発明の開示】
【発明が解決しようとする課題】
【０００６】
さて、以上の如き空冷構造を備える液晶プロジェクタにおいては、吸気口を覆う集塵フィルタに自身が捕捉した塵埃により目詰まりし、ハウジング内への吸気が阻害されて所望の空冷性能が得られなくなるという問題がある。前記特許文献１、２に開示された液晶プロジェクタにおいては、以上の如き目詰まりの発生を想定し、集塵フィルタの交換を容易に行わせる構成が提案されている。
【０００７】
ところがこのフィルタ交換は、ユーザによる定期的な点検により実施されるのが一般的であり、前述の如く交換を容易にした構成を採用したとしても、正しく交換が行われるとは限らず、集塵フィルタの目詰まりが放置され、不十分な空冷下での使用が継続されて、ハウジング内部の昇温による種々の不具合を発生する虞れがあった。
【０００８】
特に近年においては、液晶プロジェクタの使用範囲が拡大し、一般家庭にも普及する傾向にあり、集塵フィルタの目詰まりが放置される虞れは高くなっており、集塵フィルタの交換を正しく行わせるための対策が切望されている。
【０００９】
一つの対策として、使用時間によって交換時期の目処をつけ、適宜の警報を発する構成が考えられるが、集塵フィルタの目詰まりの発生程度は、液晶プロジェクタの使用環境に依存するため、例えば、塵埃の多い環境下にて使用された場合、適正なフィルタ交換の時期を逸する虞れがあり、逆に、清浄な環境下にて使用された場合、無為な交換を強いられる虞れがあって、望ましい対策ではない。
【００１０】
なお以上の問題は、液晶パネル以外の画像表示パネルを用いてなるプロジェクタ、更には、ハウジングの内部に発熱を伴う部品を備える電気機器全般に発生する問題であり、これらの電気機器にも同様の対策が切望されている。
【００１１】
本発明は斯かる事情に鑑みてなされたものであり、ハウジング内部の空冷用の吸気口を覆う集塵フィルタの目詰まりの発生を正しく判定することができ、これに起因する種々の不具合の発生を未然に防止して、常に良好な条件下での運転が可能な電気機器を提供することを目的とする。
【００１２】
また吸気口と排気口との合理的な配置により、ハウジング内部の効果的な空冷を行わせる得る電気機器を提供することを目的とする。
【００１３】
また目詰まりした集塵フィルタの交換を容易に行わせることができ、更に目詰まりした集塵フィルタの一時的な機能回復を行わせることができ、使い勝手の良好な電気機器を提供することを目的とする。
【００１４】
更には集塵フィルタの目詰まりの発生時に、この集塵フィルタの下流側に外気を導入することにより、ハウジング内部の過度の昇温を防止し得る電気機器を提供することを目的とする。
【課題を解決するための手段】
【００１５】
本発明に係る電気機器は、発熱を伴う部品を収容するハウジングに開設された吸気口及び排気口と、該排気口の近傍に配された空冷ファンと、前記吸気口を覆う集塵フィルタとを備え、前記空冷ファンの回転により前記集塵フィルタ及び吸気口を経て前記ハウジングの内部に吸気され、前記排気口を経て排気される気流の作用により、前記部品及び該部品の周辺を空冷する構成としてある電気機器において、前記気流の温度を前記集塵フィルタの上、下流側にて各別に検出する温度センサと、これらの温度センサの検出温度の差に基づいて前記集塵フィルタの目詰まりを判定する判定手段とを備えることを特徴とする。
【００１６】
本発明においては、集塵フィルタに目詰まりが発生したとき、空冷用の気流の不足によりハウジングの内部温度が上昇することに着目し、集塵フィルタの上流側及び下流側において気流の温度を検出し、例えば、これらの検出温度に所定以上の差が存在するとき、集塵フィルタの目詰まりが生じていると判定する。
【００１７】
また本発明に係る電気機器は、前記吸気口と前記排気口とが、前記ハウジングの相対向する面に開設してあることを特徴とする。
【００１８】
この発明においては、吸気口からの吸気を対向する面に開設された排気口に向けて滑らかに通気させ、発熱部品及びその周辺を効果的に空冷する。
【００１９】
また本発明に係る電気機器は、前記判定手段による目詰まりの判定に応じて所定の警報を発する警報手段を備えることを特徴とする。
【００２０】
この発明においては、判定手段により目詰まりの判定がなされたとき、ランプの点灯、警報音の発生等の適宜の警報を発してユーザに報知し、集塵フィルタの交換、清掃等の必要な処置を促す。
【００２１】
また本発明に係る電気機器は、前記判定手段による目詰まりの判定に応じて前記空冷ファンの回転速度を増速制御する制御手段を備えることを特徴とする。
【００２２】
この発明においては、判定手段により目詰まりの判定がなされたとき、空冷ファンを高速回転させて通気量を増し、集塵フィルタの目詰まりによる空冷不足を補完する。
【００２３】
また本発明に係る電気機器は、前記吸気口の外側を覆うように前記ハウジングに取り付けてあり、前記集塵フィルタを着脱自在に収容するフィルタハウジングを備えることを特徴とする。
【００２４】
この発明においては、集塵フィルタを収容するフィルタハウジングを単独に設け、このフィルタハウジングに対する着脱により目詰まりを生じた集塵フィルタの交換を容易に行わせる。
【００２５】
また本発明に係る電気機器は、前記フィルタハウジングが、前記ハウジングに着脱自在に取り付けてあることを特徴とする。
【００２６】
この発明においては．集塵フィルタを収容するフィルタハウジングをハウジングに対して着脱自在とし、フィルタハウジング単位での交換、取り外したフィルタハウジングを別場所に運んでの交換等、目詰まりを生じた集塵フィルタの交換を適宜の形態にて可能として使い勝手の向上を図る。
【００２７】
また本発明に係る電気機器は、前記集塵フィルタから捕集塵埃を叩き落すべく、該集塵フィルタに振動を付加する振動付加手段を備えることを特徴とする。
【００２８】
この発明においては、集塵フィルタに目詰まりが生じたとき、これに振動を付加して捕集された塵埃を叩き落とし、この集塵フィルタの集塵機能を一時的に回復させる。
【００２９】
また本発明に係る電気機器は、前記ハウジングの内部に発生する負圧の作用により開放され、前記集塵フィルタの下流側に外気を導入する安全弁を備えることを特徴とする。
【００３０】
この発明においては、集塵フィルタに目詰まりが発生したとき、該集塵フィルタの通気抵抗の増加に応じてハウジングの内部に発生する負圧の作用により安全弁が開放され、集塵フィルタの下流側に直接外気を導入して、ハウジング内部の過度の昇温を防止する。
【００３１】
更に本発明に係る電気機器は、前記判定手段による目詰まりの判定に応じて開放され、前記集塵フィルタの下流側に外気を導入する安全弁を備えることを特徴とする。
【００３２】
この発明においては、集塵フィルタに目詰まりが発生したとき、判定手段による判定に応じて安全弁が開放され、集塵フィルタの下流側に直接外気を導入して、ハウジング内部の過度の昇温を防止する。
【発明の効果】
【００３３】
本発明に係る電気機器においては、空冷用の吸気口を覆う集塵フィルタの上流側及び下流側にて気流の温度を検出し、これらの差に基づいて集塵フィルタの目詰まりを判定する構成としたから、２つの温度センサを用いた簡素な構成により目詰まりの発生を正しく判定することができ、この目詰まりに起因する種々の不具合の発生を未然に防止することができ、部品の発熱の影響を排除して良好な条件下での正常な動作を保証することが可能となる。
【００３４】
また集塵フィルタを備える吸気口と排気口とを相互に対向する面に開設したから、ハウジングの内部に滑らかな通気が確保されて、この通気による空冷が効果的になされ、良好な条件下での正常な動作が保証される。
【００３５】
また判定手段による目詰まりの判定に応じて警報を発する警報手段を備えたから、目詰まりの発生をユーザに確実に報知することができ、必要な処置の実施により、良好な条件下での正常な動作を保証することができ、更に、前記判定に応じて空冷ファンの回転速度を増速制御する制御手段を備えたから、目詰まりの発生時に空冷ファンが高速回転して通気量が増し、空冷不足が補完されて、良好な条件下での正常な動作が保証される。
【００３６】
また専用のフィルタハウジングに対して集塵フィルタを着脱する構成としたから、目詰まりした集塵フィルタの交換を容易に行わせることができ、更にフィルタハウジングをハウジングに対して着脱可能としたから、目詰まりした集塵フィルタの交換を適宜の形態にて実施することができ、使い勝手が良好となる。
【００３７】
また集塵フィルタに振動を付加する手段を備えたから、集塵フィルタの捕集塵埃を叩き落とし、目詰まりを緩和せしめて集塵機能を回復させることができ、集塵フィルタの寿命を延長させることができる。
【００３８】
更にハウジングの内部に発生する負圧の作用、又は判定手段の判定に応じて開放され、集塵フィルタの下流側に外気を導入する安全弁を備えたから、集塵フィルタの目詰まりに伴うハウジング内部の過度の昇温を未然に防止することができ、部品の発熱の影響を排除して良好な動作を保証することができる等、本発明は優れた効果を奏する。
【発明を実施するための最良の形態】
【００３９】
以下本発明をその実施の形態を示す図面に基づいて詳述する。図１及び図２は、本発明に係る電気機器としての液晶プロジェクタの外観斜視図である。液晶プロジェクタは、矩形箱形をなすハウジング１を備えており、このハウジング１の内部には、画像表示のための液晶パネル、該液晶パネルの一面に光を照射する投光ランプ、及び前記液晶パネルの他面への透過光をハウジング１の外部に投写する投写レンズを備える公知の液晶投写ユニットが収容されている。なお図１、図２には、以上の如き投写ユニットの構成部品のうち、ハウジング１の前面10に突出する投写レンズ1aの先端部のみが示されている。
【００４０】
ハウジング１の一側面11には、フィルタハウジング３が着脱自在に取付けられている。図１には、フィルタハウジング３を取付けた状態が、図２には、フィルタハウジング３を取り外した状態が夫々示されている。図２に示す如く前記一側面11には、縦横の格子により複数分割された矩形の吸気口12が開設されている。フィルタハウジング３は、前記吸気口12の外側を覆うように取付けられており、この取付け時に外向きとなるフィルタハウジング３の一面には、前記吸気口12と略整合する位置に、該吸気口12と同様に縦横の格子により複数分割された矩形の吸気口30が開設されている。
【００４１】
また、図１，２中に破線により示すハウジング１の他側面13には、矩形に開口する排気口14が設けられ、該排気口14の近傍のハウジング１の内部には、空冷ファン15が配してある。更にハウジング１の天面16には、運転操作のための操作部17が設けられ、また警報手段としての警報ランプ18が設けられている。
【００４２】
図３は、フィルタハウジング３の内部の構成を示す断面図である。本図に示す如くフィルタハウジング３の内部は、吸気口30の開設側に面する広幅のフィルタ室31と、他側に面する狭幅の後室32とに２分割されており、フィルタ室31の内部には、集塵フィルタ４が収容されている。フィルタ室31の一側端部には、略全面に亘る開口が設けられ、蓋板40により開閉自在に覆われてている。集塵フィルタ４は、通気が可能な微小な孔を多数有する適宜のフィルタ素材を、図示の如く、長手方向に複数の波形を並べた波板に成形して構成されており、波形の並設方向の一側の固着により前記蓋板40に一体に保持させてある。
【００４３】
このような集塵フィルタ４は、前記蓋板40の取付けにより、図３に示す如く、フィルタ室31の内部に全長に亘って延在するように収容され、また、前記蓋板40の取り外しによりフィルタ室31の外部に引き出される。図２には、蓋板40と共にフィルタハウジング３の後方に引き出された集塵フィルタ４が図示されている。
【００４４】
図４は、蓋板40の装着部近傍の拡大断面図である。本図に示す如く蓋板40の内面（フィルタ室31の内側に向かう面）の幅方向の両側には、係合片41，41が突設されている。これらの係合片41，41は、図示の湾曲形状を有する板ばねであり、夫々の先端部が蓋板40の中央に向けて撓み変形が可能に構成されている。一方、フィルタ室31の内面には、集塵フィルタ４の挿入口近傍の相対向する位置に、半円形断面を有する係合突起33，33が突設されており、蓋板40は、図４（ａ）に示す如く、前記係合片41，41の夫々を前記係合突起33，33に係合せしめて取付けられている。
【００４５】
また蓋板40の取り外しは、図４（ａ）中に白抜矢符にて示す向きに所定の強さの引き力を加えてなされる。このとき板ばねにより構成された係合片41，41は、夫々の撓み変形により各別の係合突起33，33を乗り越え、これらとの係合を解除する。図４（ｂ）には、取り外し途中の係合片41，41の変形状態が２点鎖線により示されている。
【００４６】
このように集塵フィルタ４は、蓋板40の取付け及び取り外しによりフィルタ室31に対して着脱することができ、目詰まりが生じた集塵フィルタ４の交換又は再生を容易に行わせることが可能である。なお蓋板40の着脱構造は、図４に示す構成に限らず、他の適宜の構成により実現し得ることは言うまでもない。
【００４７】
集塵フィルタ４が収容されたフィルタ室31と前記後室32との間の隔壁には、前記吸気口30と略整合する位置に、該吸気口30と略同サイズの連通口34が開設されている。また、図１に示すハウジング１への装着時に、該ハウジング１の一側面11に当接される後室32の端壁には、前記吸気口30及び連通口34と略整合する位置に、これらと略同サイズの連通口35が開設されており、この連通口35の両側には、ハウジング１へのフィルタハウジング３の着脱に使用される可動係合爪5a及び固定係合爪5bが配してある。
【００４８】
図５は、可動係合爪5a及び固定係合爪5bの配設部近傍の拡大断面図である。これらの係合爪5a，5bは、フィルタハウジング３の外部に所定長突出する夫々の先端部に互いに逆向きに屈曲する鉤状の爪部5cを備えている。
【００４９】
可動係合爪5aの基端は、前記連通口35を経て後室32の内部に延長され、フィルタ室31との間の隔壁に突設されたブラケット50に枢支されており、この枢支部に巻装されたつる巻きばね51により、前記爪部5cの屈曲側に向けて付勢されている。このように枢支された可動係合爪5aの中途部には、連通口35の一側端縁の近傍に位置し、後室32の端壁の内側に沿って摺動自在に支持された押し棒52の一端が当接させてある。該押し棒52の他端は、後室32の周壁を貫通して前記蓋板40の装着側に適長突出され、フィルタハウジング３の外側からの押し込み操作が可能なロック解除ボタン53を構成している。
【００５０】
以上の構成により可動係合爪5aは、つる巻きばね51のばね力により押し棒52の一端に押し付けられ、図５（ａ）に示す如く、フィルタハウジング３の外面から略垂直に立ち上がる姿勢を維持する。一方固定係合爪5bは、連通口35の他側端縁の近傍においてフィルタハウジング３の外面に基端を固定し、略垂直をなして立設されている。
【００５１】
フィルタハウジング３は、このような可動係合爪5a及び固定係合爪5bの先端をハウジング１の一側面11に開設された吸気口12に差し込み、夫々の爪部5c，5cを前記吸気口12の両端縁の裏面側に係合させて、図３及び図５（ａ）に示す如く、ハウジング１の一側面11に密着するように取付けられている。
【００５２】
このような取付け状態において、前記ロック解除ボタン53が押し込み操作された場合、これの内側に連続する押し棒52の先端により可動係合爪5aが押圧され、つる巻きばね51の付勢に抗して傾倒せしめられ、図５（ｂ）に示す如く、吸気口12の端縁への可動係合爪5a先端の爪部5cの係合が解除されることとなり、フィルタハウジング３をハウジング１から取り外すことができる。一方フィルタハウジング３の取付けは、可動係合爪5a及び固定係合爪5bの先端を吸気口12の端縁に当て、フィルタハウジング３をハウジング１に向けて押すことにより実現される。このとき、可動係合爪5aは、吸気口12の端縁からの反力によりつる巻きばね51の付勢に抗して傾倒し、この傾倒下にて吸気口12に差し込まれ、その後のつる巻きばね51の弾性復帰により、図５（ａ）に示す爪部5cの係合状態が得られる。
【００５３】
以上の構成によりフィルタハウジング３は、簡易な操作によりハウジング１に対して着脱することができる。この着脱は、例えば、目詰まりが生じた集塵フィルタ４の交換に際し、フィルタハウジング３の内部を清掃すべく行われる。なお可動係合爪5a及び固定係合爪5bは、夫々の側での吸気口12の開口幅内にて複数並設することができ、これにより安定した取付けが可能となる。複数の可動係合爪5aは、枢支部及びつる巻きばね51の兼用により一括して傾倒させることができ、単一のロック解除ボタン53の操作により取り外すことが可能である。
【００５４】
以上の取付けにより、フィルタハウジング３に開設された吸気口30は、ハウジング１に開設された吸気口12に前記連通口34，35を介して連通され、この間にフィルタ室31に収容された集塵フィルタ４が配置される。この状態でハウジング１の内部の空冷ファン15が回転駆動された場合、吸気口30から外気が吸い込まれ、吸気口12を経てハウジング１の内部に吸気されて、空冷ファン15及び排気口14を経て排気されることとなり、ハウジング１の内部に配された液晶投写ユニットは、吸気口12から排気口14に向かう気流との熱交換により空冷される。ここで吸気口12と排気口14とは、相互に対向する面に開設してあるから、空冷ファン15の動作による通気は、ハウジング１の内部全域を滑らかに流れ、この通気による空冷は効果的に行われる。
【００５５】
このとき集塵フィルタ４は、吸気口30からの吸気に含まれる塵埃を捕捉し、ハウジング１の内部への侵入を阻止する作用をなす。これにより、塵埃の影響による液晶投写ユニットの動作不良の発生を未然に防止することができ、また液晶投写ユニットによる投写映像を高品質に保つことができる。
【００５６】
一方、以上の作用をなす集塵フィルタ４は、自身が捕捉した塵埃により目詰まりする虞れがあり、この目詰まり状態が放置された場合、集塵フィルタ４の通気抵抗が増し、ハウジング１内への吸気が阻害されて所望の空冷性能が得られなくなるという問題がある。本発明に係る液晶プロジェクタにおいては、前述の如く、ハウジング１に対するフィルタハウジング３の着脱、及びフィルタハウジング３に対する集塵フィルタ４の着脱が容易であり、これらにより、目詰まりの発生時における迅速な対応が可能となる。更に本発明に係る液晶プロジェクタは、目詰まりに伴う不具合の発生を防止することを目的とし、以下に示す特徴的な構成を備えている。
【００５７】
集塵フィルタ４を収容するフィルタ室31の内部には、吸気口30の内側に第１の温度センサ2aが取付けてあり、また後室32の内部には、連通口35の内側に第２の温度センサ2bが取付けてある。これらの温度センサ2a，2bは、連通口35から開口部から外れて後室32の端壁に固設された出力端子20を介して、ハウジング１の一側面11に固設された入力端子21に接続され、更に、ハウジング１内部の図示しない電源回路及び運転制御部８（図６参照）に接続されている。
【００５８】
以上の如く取付けられた第１，第２の温度センサ2a，2bは、ハウジング１の内部からの給電により動作し、第１の温度センサ2aは、集塵フィルタ４の上流側において前記気流の温度を検出し、また第２の温度センサ2bは、集塵フィルタ４の上流側において前記気流の温度を検出する。夫々の検出温度に対応する第１，第２の温度センサ2a，2bの出力は、出力端子20及び入力端子21を介して運転制御部８に与えられている。
【００５９】
図６は、本発明に係る液晶プロジェクタの制御系のブロック図である。前記運転制御部８は、内部バスにより相互に接続されたＣＰＵ、ＲＯＭ及びＲＡＭを備え、ＲＯＭに格納された制御プログラムに従うＣＰＵの動作により、前記空冷ファン15及び警報ランプ18を対象として以下の制御を行うＥＣＵとして構成されている。なお運転制御部８は、前記操作部17の操作に従って液晶投写ユニットに映像投写を行わせるための制御動作も行うが、この制御動作についての説明は省略する。
【００６０】
図７は、運転制御部８の動作内容を示すフローチャートである。この動作は、液晶プロジェクタの運転中に所定の周期毎に行われ、運転制御部８は、前記第１，第２の温度センサ2a，2bの出力として夫々与えられる温度検出値ｔa ，ｔb を取り込み（ステップ１）、集塵フィルタ４の下流側の温度検出値ｔb から上流側の温度検出値ｔa を減算し、両者の温度差Δｔを算出する（ステップ２）。
【００６１】
前述の如く集塵フィルタ４に目詰まりが発生した場合、該集塵フィルタ４の通気抵抗が増し、ハウジング１内への吸気が阻害されて所望の空冷性能が得られなくなるため、ハウジング１の内部に連通する吸塵フィルタ４の下流側の温度ｔb は上昇し、吸気口30を介して外部に連通する吸塵フィルタ４の上流側の温度ｔa との温度差Δｔは大きくなる。
【００６２】
次いで運転制御部８は、算出された温度差Δｔを予め設定された基準温度ｔ0 と比較し（ステップ３）、現状の温度差Δｔが基準温度ｔ0 以下である場合、集塵フィルタ４に目詰まりが生じていないと判定し、空冷ファン15に制御指令を発し、該空冷ファン15を低速運転（定常速度での運転）させ（ステップ４）、また警報ランプ18に制御指令を発し、該警報ランプ18を消灯させて（ステップ５）制御動作を終え、次の制御機会まで待機する。      
【００６３】
一方、現状の温度差Δｔが基準温度ｔ0 を超えている場合、集塵フィルタ４に目詰まりが生じていると判定し、空冷ファン15に制御指令を発し、該空冷ファン15を高速運転させ（ステップ６）、また警報ランプ18に制御指令を発し、該警報ランプ18を点灯させて（ステップ７）ステップ１に戻り、一連の動作を継続する。
【００６４】
以上の動作により、集塵フィルタ４に目詰まりが生じた場合、空冷ファン15の高速運転によりハウジング１の内部の空冷が促進されるから、冷却不足による液晶投写ユニットの不具合の発生を緩和することができる。また警報ランプ18の点灯によりユーザに目詰まりの発生が報知されるから、運転の停止、集塵フィルタ４の点検、交換等の目詰まり対策の実施を促すことができる。
【００６５】
更に、目詰まりの判定がなされた場合、この判定が繰り返し実施され、基準温度ｔ0 以下となったことを条件として、空冷ファン15が低速運転に戻され、警報ランプ18が消灯されるから、軽微な目詰まりの発生時に無為な対策を強いられることがない。
【００６６】
なお以上の実施の形態においては、目詰まりの発生時に作動させる警報手段として警報ランプ18を用いてあるが、これに代えて、電子音の発生、異常メッセージの表示等の他の警報手段を用いてもよく、更には、複数の警報手段を併用してもよい。また、算出された温度差Δｔと比較する基準温度を複数設定し、目詰まりの発生程度を段階的に判定し、この判定に応じて空冷ファン15の高速運転と警報ランプ18の点灯とを選択的に行わせるようにしてもよく、更には、強度の目詰まり判定がなされた場合、液晶プロジェクタの運転を強制的に停止させることも可能である。
【００６７】
本発明に係る液晶プロジェクタは、また、集塵フィルタ４の目詰まりに伴うハウジング１内部の冷却不足を解消し、液晶投写ユニットの不具合の発生を防止するために、図１及び図２に示す如く、フィルタハウジング３の前面に開設された補助吸気口37と、該補助吸気口37を塞ぐ平板状をなす弁体６とを有する安全弁を備えている。図３に示す如く、補助吸気口37が開設されたフィルタハウジング３の前面内側には、前記後室32に連通する弁室36が設けてあり、弁体６は、補助吸気口37の開口部を全面に亘って覆うように弁室36の内部に取付けられている。
【００６８】
図８は、弁体６の取付け部近傍の拡大断面図である。弁体６は、弁室36の内壁に突設されたブラケット60に一側縁を枢支し、この枢支部に巻装されたつる巻きばね61のばね力により補助吸気口37に押し付けられて、該補助吸気口37を気密に封止している。このように取付けられた弁体６は、図８中に白抜矢符にて示す如く、補助吸気口37が開口するフィルタハウジング３の外側からの力が作用した場合、つる巻きばね61のばね力に抗して、図中に２点鎖線により示す如く揺動することができ、この揺動により補助吸気口37が開放されることとなる。
【００６９】
弁体６の内側に面する弁室36は、前述の如く後室32に連通しており、この後室32は．集塵フィルタ４の下流側に位置する。ここで、集塵フィルタ４に目詰まりが生じた状態で液晶プロジェクタの運転がなされた場合、集塵フィルタ４の通気抵抗が大となり、該集塵フィルタ４の下流側に位置する後室32、及び該後室32に連通する弁室36の内圧が低下し、該弁室36に面する弁体６の内面には負圧が作用する。
【００７０】
一方弁体６の外面には、補助吸気口37を介して常に外気圧が作用しており、弁体６は、弁室36内部の負圧に対応する力にて外側から押圧される。この押圧力は、集塵フィルタ４の通気抵抗の増大、即ち、集塵フィルタ４の目詰まりの進行に伴って大きくなり、この押圧力がつる巻きばね61のばね力を超えたとき、前述の如く弁体６が揺動し、補助吸気口37が開放される。
【００７１】
このように、集塵フィルタ４に目詰まりが発生し、これに気付かずに運転が継続された場合には、後室32及び弁室36の内部の負圧の作用により弁体６が揺動し、補助吸気口37が開放されることとなり、この開放がなされた場合、弁室36を介して後室32に外気が直接的に吸気され、該後室32に連通するハウジング１の内部に導入される。従って、集塵フィルタ４の目詰まりに起因する冷却不足による不具合の発生を未然に回避することができる。      
【００７２】
なお、弁体６の開放による外気の吸気は、集塵フィルタ４による集塵を経ずになされるから、ハウジング１の内部への塵埃の侵入を伴う。従って、弁体６の開放は、例えば、外気と共に大量の塵埃が吸気された場合等、不可避に発生する急激な目詰まりに際してのみ行わせるのが望ましい。このことは、つる巻きばね61のばね力を適正に設定することにより実現される。
【００７３】
また、弁体６に開放力を加えるアクチュエータ（モータ等）を付設し、該アクチュエータを前述の如く行われる目詰まりの判定に応じて動作させ、補助吸気口37から外気を吸気させる構成とすることも可能である。
【００７４】
更に本発明に係る液晶プロジェクタには、集塵フィルタ４に目詰まりが生じたとき、この目詰まりの一時的な緩和のために用いられる振動付加手段が設けられている。この手段は、フィルタ室31の内部に配された振動付加片７と、該振動付加片７を外部から操作する操作片70とを備えてなる。
【００７５】
振動付加片７は、図１及び図２に示す如く、フィルタハウジング３の高さ方向に適宜の長さを有する適幅の板片であり、図３に示す如く、吸気口30の開設面の内側に近接して配してある。操作片70は、振動付加片７の上端部に一体に突設されており、吸気口30の開設面に該吸気口30の上縁に沿って延びるガイド孔38を経て外部に突出させてある。
【００７６】
図９は、振動付加片７の動作説明図である。以上の如く取り付けられた振動付加片７は、フィルタハウジング３の外側から操作片70の突出部に力を加え、ガイド孔38の長手方向に沿ってスライド操作することにより、図９中に矢符に示す如く、吸気口30の内側に沿って移動せしめられる。このような振動付加片７の移動経路上には、フィルタ室31の内部に収容された集塵フィルタ４が存在しており、該集塵フィルタ４には、移動する振動付加片７との衝突により振動が付加される。
【００７７】
このような振動の付加により、集塵フィルタ４に捕集された塵埃の一部を叩き落とし、集塵フィルタ４に生じている目詰まりを緩和して、集塵機能を一時的に回復させることができる。このような振動付加手段を備えることにより、例えば、交換用の集塵フィルタ４の用意がない状態で使用中の集塵フィルタ４に目詰まりが生じた場合において、運転の一時的な継続が可能となり、使い勝手の向上を図ることができる。
【００７８】
なお以上の実施の形態においては、液晶プロジェクタへの適用例について説明したが、本発明は、液晶パネル以外の画像形成パネルを用いてなるプロジェクタにも適用可能であり、更に、発熱を伴う部品及び該部品の周辺を、これらを収容するハウジングの内部を流れる気流の作用により空冷する空冷構造を備える電気機器全般に適用可能であることは言うまでもない。
【図面の簡単な説明】
【００７９】
【図１】本発明に係る電気機器としての液晶プロジェクタの外観斜視図である。
【図２】本発明に係る電気機器としての液晶プロジェクタの外観斜視図である。
【図３】フィルタハウジングの内部の構成を示す断面図である。
【図４】蓋板の装着部近傍の拡大断面図である。
【図５】可動係合爪及び固定係合爪の配設部近傍の拡大断面図である。
【図６】本発明に係る液晶プロジェクタの制御系のブロック図である。
【図７】運転制御部の動作内容を示すフローチャートである。
【図８】弁体の取付け部近傍の拡大断面図である。
【図９】振動付加片の動作説明図である。
【符号の説明】
【００８０】
１    ハウジング
2a    第１の温度センサ
2b    第２の温度センサ
３    フィルタハウジング
４    集塵フィルタ
６    弁板
７    振動付加片
８    運転制御部
12    吸気口
14    排気口
15    空冷ファン
18    警報ランプ
【図１】
2006208720.tif 000003
【図２】
2006208720.tif 000004
【図３】
2006208720.tif 000005
【図４】
2006208720.tif 000006
【図５】
2006208720.tif 000007
【図６】
2006208720.tif 000008
【図７】
2006208720.tif 000009
【図８】
2006208720.tif 000010
【図９】
2006208720.tif 000011